(57)【要約】【課題】視野を確保した状態でデザイン性及びファッション性を向上でき、さらに作業性に優れたスリット式眼鏡を提供する。【解決手段】装着時に眼の前方に位置するレンズ部１４とレンズ部１４を支持するフレーム部とを有し、レンズ部１４に文字又はデザインが施されたスリット式眼鏡であって、レンズ部１４の少なくとも一部には前方を視認できる複数のスリット１８Ｒ、１８Ｌがそれぞれ形成されている構成とした。【選択図】　図２
2004061766.tif 000002
【特許請求の範囲】
【請求項１】
装着時に眼の前方に位置するレンズ部と前記レンズ部を支持するフレーム部とを有し、前記レンズ部に文字又はデザインが施されたスリット式眼鏡であって、
前記レンズ部の少なくとも一部には前方を視認できる複数のスリットが形成されていることを特徴とするスリット式眼鏡。
【請求項２】
装着時に眼の前方に位置するレンズ部と前記レンズ部を支持するフレーム部とを有するスリット式眼鏡であって、
前記レンズ部の少なくとも一部には前方を視認できる複数のスリットが形成されており、
前記各スリットの開口角度がそれぞれ変化していることを特徴とするスリット式眼鏡。
【請求項３】
前記レンズ部と前記フレーム部とは一体成形されていることを特徴とする請求項１又は２に記載のスリット式眼鏡。
【発明の詳細な説明】
【０００１】
【発明の属する技術分野】
本発明は、ファッション性及び作業性に富んだスリット式眼鏡に関する。
【０００２】
【従来の技術】
従来の眼鏡やサングラスでは、そのレンズ部分に絵や文字を書くと、視野の妨げになるという問題があった。このため、従来から視野を確保するために、眼鏡やサングラスの縁に絵や文字を書いていた。ところが、眼鏡やサングラスの縁では小さな絵や文字しか書けず、ファッション性を十分にアピールすることができず、また絵や文字の公告媒体としてもあまり魅力のないものが多かった。
【０００３】
また、服飾品として、眼鏡やサングラスに描かれたデザインを変化させたくても、縁やレンズ部の色を変える程度しかできず、デザインの多様性を十分に活かすことができなかった。
【０００４】
さらに、従来から溶接等の作業では、溶接用眼鏡を掛け、そのレンズ部分で目を保護していたが、かかる溶接用眼鏡を掛けた状態では十分な視野が確保できないため、手作業が困難となる問題があった。このため、溶接用眼鏡のレンズ部分を回転式にして溶接作業時ではレンズ部分が目の前の位置にくるようにし、溶接作業終了後はレンズ部分を回転させ視野から外れるようにして対応していた。ところが、レンズ部の上記回転作業が煩雑となる問題があった。
【０００５】
【発明が解決しようとする課題】
そこで、本発明は、上記事情に鑑みて成されたものであり、視野を確保した状態でデザイン性及びファッション性を向上でき、さらに作業性に優れたスリット式眼鏡を提供することを目的とする。
【０００６】
【課題を解決するための手段】
本発明は、上記課題を解決するため、以下の手段を採用する。
【０００７】
請求項１に記載の発明では、装着時に眼の前方に位置するレンズ部と前記レンズ部を支持するフレーム部とを有し、前記レンズ部に文字又はデザインが施されたスリット式眼鏡であって、前記レンズ部の少なくとも一部には前方を視認できる複数のスリットが形成されていることを特徴とする。
【０００８】
レンズ部に文字又はデザインが施されている眼鏡では、ファッション性やデザイン性が向上するが、レンズ部が装着時において眼の前方に位置するため、視野の確保が出来なくなる問題があった。
そこで、本発明のスリット式眼鏡では、レンズ部の少なくとも一部には複数のスリットが形成されているため、このスリットを通して前方を視認することができる。このため、歩行なども従来通り行うことができ、日常生活に支障をきたすことがない。
また、本発明のスリット式眼鏡のレンズ部には複数のスリットが形成されているが、離れたところからレンズ部を観る限りにおいては、複数のスリットを形成したことによりレンズ部のデザイン性やファッション性を壊すことがない。
以上のように、本発明のスリット式眼鏡では、ファッション性やデザイン性に悪影響を与えず、装着者の視野を確保することができる。
【０００９】
請求項２に記載の発明では、装着時に眼の前方に位置するレンズ部と前記レンズ部を支持するフレーム部とを有するスリット式眼鏡であって、前記レンズ部の少なくとも一部には前方を視認できる複数のスリットが形成されており、前記各スリットの開口角度がそれぞれ変化していることを特徴とする。
【００１０】
スリット式眼鏡のレンズ部に複数のスリットが形成されている場合において、このスリット式眼鏡を例えば溶接作業用に使用すると、スリットを通して溶接時に発生する光が作業者の眼に入り込み、眼にとって好ましくない。
そこで、本発明のスリット式眼鏡では、各スリットの開口角度を変化させることができるため、例えばあるスリットの開口角度は前記光を遮断できるような角度に調整し、他のスリットの開口角度は前方を視認できるような角度に調整することができる。このように調整することにより、スリットを通って眼に入り込む光の光量を低減ないし無くすことができ眼を保護できるとともに、他のスリットを通して視野の確保も可能にすることができる。この結果、従来のようにレンズ部を回転可能に構成する必要がなく、作業者の回転作業が不要となり作業負担を軽減できる。
【００１１】
請求項３に記載の発明では、請求項１又は２に記載のスリット式において、前記レンズ部と前記フレーム部とは一体成形されていることを特徴とする。
【００１２】
本発明のスリット式眼鏡によれば、レンズ部と前記フレーム部とは例えば金型などにより一体成形されているため、容易かつ低コストに製造することができる。
【００１３】
【発明の実施の形態】
次に、本発明の実施形態のスリット式眼鏡について、図面を参照して説明する。
【００１４】
図１に示すように、本実施形態のスリット式眼鏡１０では、装着時に装着者の耳にかけられる１対のフレーム部１２を備えている。また、フレーム部１２には、装着時に装着者の眼の前方に位置するレンズ部１４が取り付けられている。
【００１５】
図２に示すように、このレンズ部１４は、装着者の右眼前方に位置する右眼用レンズ部１４Ｒと、装着者の左眼前方に位置する左眼用レンズ部１４Ｌと、で構成されている。また、右眼用レンズ部１４Ｒと左眼用レンズ部１４Ｌとの間には、装着時に装着者の鼻を覆う鼻保護部１６が形成されている。
【００１６】
上記フレーム部１２と、右眼用レンズ部１４Ｒと、左眼用レンズ部１４Ｌと、鼻保護部１６とは、金型などにより一体成形されている。なお、本発明のスリット式眼鏡は、プラスチック樹脂で構成されている。
【００１７】
なお、レンズ部１４とは、遠視・近視・乱視・老眼などの不完全な視力を調整する通常の眼鏡に用いられるレンズ部分の他に、視力調整機能はなく、単にプラスチック、木材、金属などで構成される薄板状のものも含まれる。
【００１８】
ここで、本発明の要旨について詳細に説明する。
【００１９】
図２及び図３に示すように、右眼用レンズ部１４Ｒ及び左眼用レンズ部１４Ｌの略中央には、複数の右眼用スリット１８Ｒ及び左眼用スリット１８Ｌがそれぞれ形成されている。右眼用スリット１８Ｒ及び左眼用スリット１８Ｌは、右眼用レンズ部１４Ｒ及び左眼用レンズ部１４Ｌをその厚さ方向（図３中矢印Ａ方向）にそれぞれ貫通している。右眼用スリット１８Ｒ及び左眼用スリット１８Ｌは、右眼用レンズ部１４Ｒ及び左眼用レンズ部１４Ｌの幅方向（図２矢印Ｂ方向）にそれぞれ延びており、高さ方向（図２中矢印Ｃ方向）に亘って複数形成されている。
なお、右眼用スリット１８Ｒ及び左眼用スリット１８Ｌは、右眼用レンズ部１４Ｒ及び左眼用レンズ部１４Ｌの高さ方向（図２矢印Ｃ方向）にそれぞれ延びており、幅方向（図２中矢印Ｂ方向）に亘って複数形成されていてもよい。
【００２０】
ここで、図３に示すように、右眼用スリット１８Ｒ（図３ではスリット１８Ｌを省略）の間隔は略一定の間隔となるように設定されており、また高さ方向（図３中矢印Ｃ方向）に隣接した右眼用スリット１８Ｒの間に位置する右眼用レンズ部１４Ｒの傾斜角度（右眼用レンズ部１４Ｒの上面から下面までの角度）αも略一定となるように設定されている。なお、左眼用スリット１８Ｌ及び左目用レンズ部１４Ｌも同様に構成されている。
【００２１】
具体的には、本実施形態では右眼用スリット１８Ｒ及び左眼用スリット１８Ｌの開口寸法が０．４ｍｍ（一定）に設定されており、高さ方向に隣接する右眼用スリット１８Ｒ及び左眼用スリット１８Ｌの間に位置した右眼用レンズ部１４Ｒ及び左眼用レンズ部１４Ｌの寸法は０．６ｍｍ（一定）にそれぞれ設定されている。また、上記傾斜角度αは約４°（一定）に設定されている。また、右眼用レンズ部１４Ｒ及び左眼用レンズ部１４Ｌの厚さは３．５ｍｍにそれぞれ設定されている。
なお、これらの寸法は一例であり、これらに限られるものではない。
【００２２】
一方、右眼用レンズ部１４Ｒ及び左眼用レンズ部１４Ｌの右眼用スリット１８Ｒ及び右眼用スリット１８Ｌが形成されたスリット領域以外の領域（図２中の斜線部分）には、所定のデザインや文字（いずれも図示省略）が描かれている。このように、本発明のスリット式眼鏡１０では、レンズ部１４の略全面に亘ってデザインや文字を描くことができる。この結果、デザインや文字を比較的広い面積に亘って描くことができ、よりアピールすることができる。
なお、デザインや文字は、レンズ部１４の表面に直接印字してもよく、また塗装やシールを貼り付けてもよい。
【００２３】
本発明のスリット式眼鏡１０は、フレーム部１２とレンズ部１４とを金型などにより一体成形した後、レンズ部１４の表面にデザインや文字を描くことにより製造される。
なお、右眼用レンズ部１４Ｒ及び左眼用レンズ部１４Ｌに形成される右眼用スリット１８Ｒ及び左眼用スリット１８Ｌは、フレーム部１２とレンズ部１４とが一体成形される際に同時に成形される。
【００２４】
次に、本発明のスリット式眼鏡１０の作用及び効果について説明する。
【００２５】
本発明のスリット式眼鏡１０では、レンズ部１４という比較的広い面積の部分にデザイン（絵）や文字が描かれているため、ファッション性やデザイン性を向上させることができる。
【００２６】
また、このレンズ部１４に描くデザインや文字に、国や地方公共団体、法人や個人の宣伝機能（例えば会社名を記載）をもたせることにより、このスリット式眼鏡１０を装着して動く人が動く公告塔になるため、宣伝効果を向上させることができる。
【００２７】
また、このレンズ部１４に描くデザインや文字に、自己アピールの機能（例えば所有者や使用者の氏名を記載）をもたせることにより、このスリット式眼鏡１０に服飾品としての効果をもたせることもできる。
【００２８】
一方、レンズ部１４には右眼用スリット１８Ｒ及び左眼用スリット１８Ｌがそれぞれ形成されているため、レンズ部１４に大きくデザインや文字が描かれていても、装着者は右眼用スリット１８Ｒ及び左眼用スリット１８Ｌを介して前方を視認することができる。このため、本発明のスリット式眼鏡１０を装着した状態で、日常生活に支障をきたすことがない。
【００２９】
このように、本発明のスリット式眼鏡１０によれば、レンズ部１４にデザインや文字を大きく描くことによりファッション性やデザイン性を向上させることができるとともに、装着した状態においても視野を確保することができる。
【００３０】
なお、レンズ部１４にスリットの代わりに複数の丸穴を形成し、この丸穴を通して前方を見ようとすると、丸穴を複数個形成する必要がある。また、ある程度の視野を確保するためには、さらにその数を増やす必要がある。かかる場合、外部の第３者にとって眼鏡の装着者が丸穴から覗いていることが一目瞭然となり、ファッション性に欠けることになる。
この点、本発明のように、レンズ部１４の幅方向（Ｂ方向）に延びたスリットを形成することにより、ある程度視野を確保した状態でスリットの開口寸法を短くすることができ、第三者に発見され難くなる。また、スリットでは、スリットが延在する方向と略垂直方向の視野を制限できるため、視点への集中や、有害光線からの眼の保護が可能となる効果がある。
【００３１】
次に、上記実施形態と別形態の眼鏡について説明する。
【００３２】
上記実施形態のスリット式眼鏡１０では、ファッション性やデザイン性のアピールを目的とするサングラスや服飾品として眼鏡を対象としたものであるが、これらに限られるものではない。
【００３３】
図５に示すように、本発明のスリット式眼鏡を溶接作業等の作業時に作業者が装着する眼鏡として利用してもよい。
【００３４】
ここで、作業用眼鏡として用いる場合、レンズ部５０に形成された複数のスリット５２の開口角度を変化させることが好ましい。
【００３５】
なお、図５に示すように、スリット５２の開口角度とは、スリット５２の中心線ｌがレンズ部５０の表面に対して垂直方向に延びる基準線ｍに対する傾斜角度βを意味する。
【００３６】
例えば、本発明のスリット式眼鏡を溶接作業時に作業者が装着する眼鏡として利用する場合、あるスリット５２Ａの中心線ｌの傾斜角度βでは溶接時の放射光が目に入らないように比較的大きく設定されており、別のスリット５２Ｂの中心線ｌの傾斜角度βではこのスリット５２Ｂを通して前方が視認できるように比較的小さく設定（図５ではβ＝０°）されている。
【００３７】
本形態のスリット式眼鏡では、レンズ部５０に形成された複数のスリット５２の内、一部のスリット５２Ａの中心線ｌの傾斜角度βを比較的大きく設定し溶接時に放射光が目に入り込まないようにしているため、放射光から眼を保護することができる。
【００３８】
一方、複数のスリット５２の内、他のスリット５２Ｂの中心線ｌの傾斜角度βを比較的小さく（図５ではβ＝０°）設定しているため、装着した状態で作業者の視野を確保することができる。これにより、スリット式眼鏡を装着した状態で、例えば溶接個所を点検することができる。
【００３９】
以上のように、本発明のスリット式眼鏡では、例えば溶接作業用の眼鏡としても利用することができ、従来の溶接用眼鏡のように溶接作業時には眼を保護するためにレンズ部を下げ、溶接作業後は視野を確保するためにレンズ部を上げるというような煩わしい操作を、無くすことができる。この結果、作業者の作業負担を軽減することができる。
【００４０】
また、この溶接作業用として用いるスリット式眼鏡のレンズ部５０の表面にも、デザインや文字などを描いてもよい。これにより、デザイン性やファッション性を向上させることができる。
【００４１】
なお、スリット５２の開口角度を変化させる方法以外でも、例えば、レンズ部５０の厚みを比較的厚くし、隣接するスリット５２の間隔を比較的狭く設定することにより、溶接時にスリット５２から眼に入り込む放射光の光量を低減させることができる。一方、スリット５２を介して前方を視認することができる。
【００４２】
【発明の効果】
以上説明した本発明のスリット式眼鏡においては以下の効果を奏する。
【００４３】
請求項１記載の発明では、ファッション性やデザイン性に悪影響を与えず、装着者の視野を確保することができる。
【００４４】
請求項２記載の発明では、スリットを通って目に入り込む光の光量を低減ないし無くすことができ眼を保護できるとともに、他のスリットを通して視野の確保も可能にすることができる。
【００４５】
請求項３記載の発明では、レンズ部と前記フレーム部とは例えば金型などにより一体成形されているため、容易かつ低コストに製造することができる。
【図面の簡単な説明】
【図１】本発明の一実施形態に係るスリット式眼鏡の平面図である。
【図２】本発明の一実施形態に係るスリット式眼鏡の正面図である。
【図３】本発明の一実施形態に係るスリット式眼鏡を構成するレンズ部の部分的な断面図である。
【図４】本発明の一実施形態に係るスリット式眼鏡の側面図である。
【図５】本発明の一実施形態に係るスリット式眼鏡とは別形態の眼鏡を構成するレンズ部の部分的な断面図である。
【符号の説明】
１０　　　スリット式眼鏡
１２　　　フレーム部
１４　　　レンズ部
１８Ｒ　　右眼用スリット（スリット）
１８Ｌ　　左眼用スリット（スリット）
【図１】
2004061766.tif 000003
【図２】
2004061766.tif 000004
【図３】
2004061766.tif 000005
【図４】
2004061766.tif 000006
【図５】
2004061766.tif 000007